(57)【要約】髪を切る切断装置（９）を有する散髪機器（１）において、髪の切られた部分を引き上げるために吸引装置（１７）が設けられ、この吸引装置には、路壁（２２、２３、２４、２５、２６、２７、２８、２９）によって境界付けられる吸引路（２１）と、切断装置の付近に置かれる吸引開口（３０）が具備される。吸引装置には、吸引開口の領域において流速を変化させる少なくとも１つの構成要素（３５、３７）が具備される。
2005530579.tif 000002
【特許請求の範囲】
【請求項１】
髪を切る切断装置と、
髪の切られた部分を引き上げる吸引装置と、
を有し、
前記吸引装置には、路壁によって境界付けられ、前記路壁の少なくとも一部は前記切断装置の付近に延在する吸引路と、前記切断装置の付近に置かれ、吸引開口を境界付ける端部が具備され、空気は、前記吸引開口を通り、特定の流速で１つの吸引方向において前記吸引路内に吸い込まれることが可能である散髪機器であって、
前記吸引装置には、前記吸引開口の領域において前記流速を変化させる変化手段が具備される機器。
【請求項２】
前記変化手段は、１つの路壁の一部分を有し、
前記一部分は、前記吸引開口を境界付け、
前記一部分は、他の路壁に対して可動である請求項１記載の散髪機器。
【請求項３】
前記変化手段には、前記１つの路壁の前記一部分と相互作用するバネ手段が具備され、
前記バネ手段は、前記吸引方向に対抗するよう前記一部分にバネ荷重をかけ、
前記一部分は、切られる髪と相互作用するよう設計且つ配置され、切られる髪との相互作用の間に、前記バネ手段の力に対抗するよう可動である請求項２記載の散髪機器。
【請求項４】
前記バネ手段は、前記吸引方向に対して本質的に横断するよう延在するロッドタイプ又はリーフタイプのバネの形であり、湾曲形状を有する請求項３記載の散髪機器。
【請求項５】
前記ロッドタイプ又は前記リーフタイプのバネ手段のバネ力は、１０ｍＮ乃至５０ｍＮにある請求項４記載の散髪機器。
【発明の詳細な説明】
【技術分野】
【０００１】
本発明は、髪を切る切断装置と、髪の切られた部分を引き上げる吸引装置とを有し、その吸引装置には、路壁によって境界付けられ、路壁の少なくとも一部は切断装置の付近に延在する吸引路と、切断装置の付近に置かれ、吸引開口を境界付ける端部が具備され、空気が、この吸引開口を通り、特定の流速で１つの吸引方向において吸引路内に吸い込まれることが可能である散髪機器に係る。
【背景技術】
【０００２】
第１段落に記載したような汎用タイプの散髪機器は、取引されており、従って既知である。このような種類の散髪機器に関して、特許文書ＪＰ２００１−１９０８７１Ａを参照されたい。このような種類の散髪機器の公知の実施例では、名目上確定的にしか特定することのできない流速が、吸引開口の領域における吸引装置によって実現可能である。この結果、様々な髪の性質、様々な髪密度、及び様々な髪の長さによって、品質が異なる吸引効果のみが達成可能であるという問題が存在し、このことは、全ての髪の状況において十分に良好で、十分な吸引効果を保証することができないという事実をもたらしてしまう。更に、散髪機器から望ましくなく大量の髪の切断部が飛び出し、環境を汚すという状況も発生する。
【発明の開示】
【発明が解決しようとする課題】
【０００３】
本発明は、上述した問題を解消し、改良された散髪機器を実現することを目的とする。
【課題を解決するための手段】
【０００４】
上述した目的を達成するために、本発明の特徴が、本発明に応じて散髪機器に与えられ、それにより、本発明の散髪機器は、以下に示すように特徴付けられることが可能である。即ち、
髪を切る切断装置と、髪の切られた部分を引き上げる吸引装置とを有し、吸引装置には、路壁によって境界付けられ、路壁の少なくとも一部は切断装置の付近に延在する吸引路と、切断装置の付近に置かれ、吸引開口を境界付ける端部が具備され、空気は、吸引開口を通り、特定の流速で１つの吸引方向において吸引路内に吸い込まれることが可能である散髪機器において、吸引装置には、吸引開口の領域において流速を変化させる変化手段が具備される。
【０００５】
本発明の特徴を与える結果、吸引開口の領域において、比較的大きい速度範囲にある様々な流速を維持するための良好な機会が、比較的単純で、空間を節約する方法で、且つ、僅かに少量の追加の費用で与えられ、従って、特定の髪の状況に対し達成可能な吸引効果の適合を達成することができる。更に、既知の散髪機器に関する状況と比較して、切られた髪が望ましくなく飛び散ることがかなり低減される。
【０００６】
本発明の散髪機器の場合、変化手段は、吸引路内に配置され、吸引路内、従って吸引開口における流速を変更する手段の形であり得る。しかし、本発明の散髪機器において、請求項２に記載される特徴が更に与えられると非常に有利であることが証明されている。これは、可能な限り最も単純な構造設計の観点と、可能な限り最も効率よく吸引開口の領域における流速に影響を与える点で有利である。これは、変更手段の単純な調節が結果として可能にされる理由から更に有利である。
【０００７】
前段落に記載する本発明の散髪機器において、路壁の一部分の調節は、例えば、その一部分に作用するスライドボタンによって手動で行うことが可能である。しかし、請求項３に記載の特徴が更に与えられると特に有利であることが証明されている。切られる髪に応じて変化手段が自動的に調節されることが、ここでは有利に可能にされる。
【０００８】
前段落に記載する本発明の散髪機器において、請求項４に記載の特徴が更に与えられると非常に有利であることが証明されている。特に動作上信頼度が高く、空間を節約し、容易に可動な実施例がその結果達成される。
【０００９】
ロッドバネのバネエネルギーを参照するに、本発明の散髪機器は、請求項５に記載の特徴が更に与えられると非常に有利であることが証明されている。このように、ロッドバネによって、髪によって路壁の一部分に加えられることの可能な調節力に対抗する有利に好適な対抗力を達成することが可能である。
【００１０】
上述した本発明の面及び更なる面を以下に説明する。
【発明を実施するための最良の形態】
【００１１】
本発明は、図面に示す実施例を参照しながら更に説明するが、これらの実施例に、本発明は制限されない。
【００１２】
図１は、散髪機器１を示す。散髪機器１は、上部筐体部３、下部筐体部４、及び前方筐体部５を有する筐体２が具備される。この前方筐体部５と２つの他の筐体部３及び４との間には、調節リング６が設けられ、この調節リング６を回すことによって、図１には示さないが図２に示す散髪機器１の櫛７を、散髪機器１の長手方向と平行に調節することが可能であり、このこと自体は知られている。この点について、特許文書ＥＰ０３２５３２６Ｂ１を参照されたい。この開示内容は、この参照によって本願に含まれているものと考える。上部筐体部３と下部筐体部４内には、通り孔８が、それらの略中心領域に設けられ、空気は、その通り孔８を通り、筐体２の内側から流出することが可能である。
【００１３】
調節リング６に面していない前方筐体部５の片側において、散髪機器１には、切断装置９が具備される。切断装置９は、髪を切るよう設けられ且つ設計される。切断装置９には、２つの歯付き切断ブレード１０及び１１が具備され、第１の歯付き切断ブレード１０は、歯付き切断装置９のキャリア１２上に固定して保持され、第２の歯付き切断ブレード１１は、第１の歯付き切断ブレード１０に対して前後に可動であるよう保持され、前後に駆動されることが可能であり、このことは長い間知られている。
【００１４】
散髪機器１は、第１の駆動シャフト１４と第２の駆動シャフト１５が具備されるモータ１３を有する。回転に対して固定されるよう第１の駆動シャフト１４上には、偏心構成１６が位置付けられる。偏心構成１６は、第２の歯付き切断ブレード１１に結合され、それにより、偏心構成１６に支援されて、第２の歯付き切断ブレード１１が前後に駆動可能となる。
【００１５】
散髪機器１は更に、吸引装置１７が具備される。吸引装置１７は、髪の切断された部分を引き上げるよう設計される。吸引装置１７は、回転するよう駆動可能であり、回転に対して固定されるよう第２の駆動シャフト１５上に位置付けられ、更に、空気偏向部１９によって更に支持されるファン１８が具備される。しかし、ファン１８は、駆動シャフト１５だけによって回転可能に支持されてもよく、その場合、空気偏向部１９は、２つの機能を果たさないことになる。散髪機器１では、気流は、ファン１８によって生成可能であり、この気流は、図４及び５に矢印２０として示す。この気流は、空気偏向部１９によって、通り孔８に向けて偏向される。吸引装置１７には吸引路２１が具備され、この吸引路２１は、吸引路壁２２、２３、２４、２５、２６、２７、２８、及び２９によって境界付けられる。これらの路壁のうち、一部の路壁、即ち、路壁２２、２４、２６、及び２８は、切断装置９の付近までと、切断装置９の２つの歯付き切断ブレード１０及び１１のそれぞれの付近まで延在する。路壁の端部が、切断装置９の付近、及び歯付き切断ブレード１０及び１１それぞれの付近に置かれることによって、４つの境界壁２２、２４、２６、及び２８は、吸引開口３０を境界付ける。空気は、吸引開口３０を通り、吸引路２１内に、矢印３１によって示す吸引方向に、有利なように変更可能な流速で、引き込まれることが可能である。吸引路２１の隣には、収集コンテナ３２が置かれ、これは、髪の切断部を収集するよう設けられ且つ設計される。収集コンテナ３２には、図５及び６に概略的に示すフィルタ３３が設けられる。フィルタ３３によって、気流から髪の切断された部分が分けられ、それにより、収集コンテナ３２の後では、髪の切断された部分は、通り孔８を通り運ばれる気流にはない。
【００１６】
散髪機器１では、散髪機器１の境界壁２２も形成する第１の路壁２２が、１つの単一の固定壁だけで形成されるのではなく、特に有利な方法で、第１の路壁２２の設計は、第１の路壁２２が、固定部３４と、固定部分３４と全ての路壁２３乃至２９に対して調節可能な部分３５を有するようなされる。この場合、調節は、直線であり、その結果、吸引方向３１と平行に行われる。しかし、調節可能な路壁３５は、僅かに湾曲されていてもよく、その湾曲の形状に応じて調節可能なように支持されてもよい。調節可能な部分３５は、その自由端で、吸引開口３０を境界付ける。散髪機器１において、路壁２２の調節可能な部分３５は、変化手段３６の構成部分である。変化手段３６は、吸引開口３０の領域における気流の流速を変化するために設けられる。変化手段３６は、路壁２２の調節可能部分３５を有し、更に、バネ手段３７が具備される。バネ手段３７は、路壁２２の調節可能部分３５と相互作用し、また、図６に示す。バネ手段３７は、路壁２２の調節可能部分３５に吸引方向３１とは反対に荷重をかけ、調節可能部分３５を開始位置に保持しようとする。図７に非常に概略的に示すように、路壁２２の調節可能部分３５は、切る髪と相互作用するよう設計され且つ配置される。路壁２２の調節可能部分３５の切る髪との相互作用の間に、調節可能部分３５は、図７に示すように、バネ手段３７の力の反対、即ち、吸引方向３１に調節可能である。ここでの調節可能部分３５の調節の度合いは、髪に関する状況、即ち、髪密度と髪の長さと髪の強度と髪の剛性に依存する。図６に示すように、散髪機器１において、バネ手段３７は、吸引方向３１に対して本質的に横断するよう延在するロッド形状のバネ３７の形にあり、曲線状に延在し、横路壁２８の領域に固定され、バネ手段の曲げられた自由端は、部分３５から突出するストリップ３８と相互作用する。しかし、バネ手段３７は、リーフタイプの設計でもよい。バネ３７のバネ力は、公称で約４０ｍＮである。バネ３７のバネ力は、１０ｍＮ乃至５０ｍＮ内の範囲にあってもよい。
【００１７】
バネ３７に関して、バネ３７は、その開始位置、即ち、調節可能部分３５がその開始位置にあると、いわゆる曲がった放物線に応じて形付けられるねじりバネとして設計される。調節可能部分３５がその開始位置から最大限に調節されると、バネ３７は、実質的に直線となる形となるが、これは、図６には示さない。
【００１８】
散髪機器１では、路壁２２の調節可能部分３５は、更に、切った髪が散髪機器１から飛び散ることを防止する手段の構成部分である。この手段には、散髪器具１の境界壁２２を同時に形成する第１の路壁２２が具備される。切った髪が散髪機器１から飛び散ることを防止する手段は、調節可能部分３５を有する路壁２２に加えて、更に、バネ手段３７と、路壁２２の固定部分３４と、更なる路壁２４、２６、及び２８も有する。
【００１９】
路壁２２の調節可能部分３５によって、吸引開口３０の領域における気流の流速が、特定の髪の状況、即ち、例えば、導入される髪の量に単純で自動的に合わされ、吸引開口３０は、その髪の状況に依存して可能な限り小さく維持され、その結果、各状況において最大の流速が達成される。このことは、特定の髪の状況に合い、従って、良好である吸引結果をもたらす。
【００２０】
開始状態において、路壁２２の調節可能部分３５は、バネ３７によって、図３乃至６に示す開始位置に維持される。バネ３７のバネ力は、ここでは、全ての状況において、調節可能部分３５の重量を相殺するよう有利に十分に大きい。バネ３７の力は、ここでは、調節可能部分３５が、散髪機器１のどの位置においてもその開始位置に戻ることができるよう十分に大きい。その一方で、バネ３７のバネ力は、調節可能部分３５に比較的少ない髪が相互作用している場合でも、調節可能部分３５がこの少ない量の髪によってバネ３７の力に対抗するよう調節可能であるよう十分な強さである。図７に示すように、調節可能部分３５は、切られる髪によって吸引方向３１に調節され、その結果、各場合における髪の状況に対して吸引開口３０の寸法が最適に合わされることが確実にされる。
【００２１】
路壁２２の調節可能部分３５と、路壁２２の固定部分３４と、路壁２４、２６、及び２８によって、散髪機器１において、髪の切られた部分が散髪機器１から飛び出ることが特に良好且つ効果的な方法で防止されることが更に達成される。このことは、実質的に髪の切られた部分全てが吸引路２１に入り、図７に示すように、吸引装置１７によって引き上げられる結果を有する。
【図面の簡単な説明】
【００２２】
【図１】本発明の１つの実施例による散髪機器を示す上からの斜視図である。
【図２】図１の散髪機器の重要な構成要素を示す分解図である。
【図３】図１の散髪機器の一部を示す断面図である。
【図４】図３と同様に、図３の散髪機器の一部を示すが、更に、散髪機器において生成可能な気流も示す図である。
【図５】図３及び４の散髪機器の一部を概略的に示す図４に対して拡大された図である。
【図６】図３乃至６に示す散髪機器の一部を図５の矢印ＶＩＩから見た図である。
【図７】切られる髪と相互作用する図１乃至６の散髪機器の一部を完全に概略的に示す図である。
【図１】
2005530579.tif 000003
【図２】
2005530579.tif 000004
【図３】
2005530579.tif 000005
【図４】
2005530579.tif 000006
【図５】
2005530579.tif 000007
【図６】
2005530579.tif 000008
【図７】
2005530579.tif 000009
【国際調査報告】
2005530579.tif 000010
2005530579.tif 000011